(57)【要約】【課題】ソート印字の１単位となる原稿を１部印字完了する前であっても、原稿の読み直しを記録紙により指定して行うことができるようにする。【解決手段】入力されたキーが原稿読み直しキーであった場合、読み直しモードとなり、原稿読み直しポップアップ画面が表示される。ここでユーザは読み直しを指定したい原稿の位置（指定する原稿が印字された記録紙における先頭又は末尾から何枚目であるか）と読み直し枚数とを転写紙単位で（転写紙１枚を単位として）入力する。ここでユーザがＯＫキーを押下すると、制御手段は、指定された転写紙の位置から指定数分、蓄積手段に蓄積された蓄積画像を消去する。また、制御手段は、読み直しの位置とコピーモードから原稿の戻し枚数を算出し、原稿戻し枚数の表示画面を表示手段に表示させるとともに、戻し枚数分を原稿枚数カウンタから減ずる。【選択図】　　　　図１０
2004104263.tif 000002
【特許請求の範囲】
【請求項１】
原稿の画像を読み取る読み取り手段と、
前記読み取り手段により読み取った画像を蓄積する蓄積手段と、
前記読み取り手段で読み取った画像又は前記蓄積手段に蓄積された画像を印字する印字手段と、
入力を受ける入力手段と、
前記蓄積手段に蓄積された画像を用いて前記印字手段に電子的なソート印字を行わせると共に、該ソート印字としてすでに読み込まれた原稿の読み直しが当該読み直しを行う原稿の指定と共に前記入力手段から入力されると、該指定された原稿の画像を前記蓄積手段から消去し、指定された原稿の読み直し処理を可能とするよう制御する制御手段と、を備えた画像形成装置であって、
前記制御手段は、ソート印字における原稿の前記読み直しが前記入力手段から入力されると、即座に読み直し処理を開始するよう構成されたことを特徴とする画像形成装置。
【請求項２】
前記読み直し処理で読み直しを行う原稿の前記指定を、前記印字手段により印字する記録紙１枚を単位として前記入力手段から入力を受けることを特徴とする請求項１記載の画像形成装置。
【請求項３】
前記読み直し処理で読み直しを行う原稿の前記指定を、前記記録紙の複数に対して前記入力手段から入力を受けることを特徴とする請求項２記載の画像形成装置。
【請求項４】
前記読み直し処理で読み直しを行う原稿の前記指定を、前記印字手段により印字された記録紙に対して先頭からか末尾からかにより選択的に前記入力手段から入力を受けることを特徴とする請求項１から３の何れか１項に記載の画像形成装置。
【請求項５】
前記制御手段からの命令により画情報を表示する表示手段を備え、
前記制御手段は、前記読み直し処理で読み直しを行う原稿が記録紙の枚数により前記指定されることにより、指定された該記録紙の位置に対応する原稿の戻し枚数を算出して前記表示手段に表示させることを特徴とする請求項２から４の何れか１項に記載の画像形成装置。
【請求項６】
前記読み直し処理で読み直しを行う原稿の前記指定が前記入力手段から入力される際、該入力手段は該指定された記録紙以降の記録紙を無効とするか否かの入力を受け、
前記制御手段は、記録紙の無効が入力された場合、前記指定された記録紙の読み直しによる印字後に前記指定された記録紙以降の記録紙の印字も前記印字手段に行わせ、記録紙の無効が入力されない場合、前記指定された記録紙の読み直しによる印字のみを前記印字手段に行わせることを特徴とする請求項１から５の何れか１項に記載の画像形成装置。
【発明の詳細な説明】
【０００１】
【発明の属する技術分野】
本発明は、１枚以上の原稿の読み取りと読み取った画像データの蓄積とを行い、蓄積された画像データをその読み取った順番に記録紙に指定された印字（印刷）形式で割り当てたものをソートの１単位とし、それら原稿画像を予め指定された部数だけ印字する電子的なソート印字（電子ソート）を行う機能を有する画像形成装置に関する。
【０００２】
【従来の技術】
従来より、電子的なソート印字により複数の原稿画像を複数部印字する場合、原稿画像を読み取りながら１部目を順次印字中、すなわち原稿読み取り中に印字された画像を確認した結果、その印字された画像に不備（不満）があった場合、一旦読み込んだ画像を全て破棄し、そのソート印字のジョブは最初からやり直さなければならなかった。すなわち、すでに印字されて印字結果が良好であった原稿も、再度読み込みを行わなければならなかった。
【０００３】
また従来より、ソート印字による１部目の印字完了時にその最初の１部の完成具合（印字具合）の確認を行わせ、その最初の１部の仕上がりが良好であった場合のみ２部目以降の印字を行う試しコピー機能が知られている。この技術を用いるものとして、特開平６−２６６１８８号公報、特開平１１−１２７３２４号公報などがある。
【０００４】
上記した特開平６−２６６１８８号公報（特許文献１）に開示された画像形成装置は、複数枚の原稿を順次読み取り、画像メモリに記憶して１部だけ記録紙にサンプルコピーしてコピーを中断し、中断時にコピー条件が変更された場合に再度複数枚の原稿を順次読み取り、画像メモリに記憶して１部だけ記録紙にサンプルコピーしてコピーを再中断し、中断時にコピーがスタートされるとセット部数から１部減じた部数だけコピーする、としている。
また、このことにより、操作性の向上を図ることができる、としている。
【０００５】
また、上記した特開平１１−１２７３２４号公報（特許文献２）に開示されたファクシミリ装置は、操作者によるページ単位のテストプリント出力指示に従って蓄積画像データをページ単位にプリント出力制御する記録制御部と、操作者によるページ単位の削除指示に従って蓄積画像データをページ単位に削除してオペレータによる挿入指示及び挿入ページの指定によりページ単位に画像データを書き込む削除挿入制御部と、を備えたものである。
このことにより、送信原稿の読み取り後に任意位置に原稿を追加挿入することができる、としている。
【０００６】
また、本出願人により先に出願されている特開２００１−３２２３２７号公報（特許文献３）のデジタル複写機は、コピーされた原稿の画像データを保存する保存部を有し、コピー動作でスキャナで読み込んだ画像データを複写機内の保存部に管理番号をつけて一時保存を行う機能を有し、その一時保存された画像データに対して、ページ単位でのデータ差し替え指示を行い、新規にスキャナより読み込んだデータと指定ページのデータを入れ替えして出力を実行する機能を有する、としている。
【０００７】
【特許文献１】
特開平６−２６６１８８号公報
【特許文献２】
特開平１１−１２７３２４号公報
【特許文献３】
特開２００１−３２２３２７号公報
【０００８】
【発明が解決しようとする課題】
しかしながら、上記した特開平６−２６６１８８号公報、特開平１１−１２７３２４号公報、特開２００１−３２２３２７号公報に開示された技術は、ソート又はファクシミリ送信の１単位とする原稿を全て読み取り、それら１単位となる原稿画像を少なくとも１部（それぞれ１枚ずつ）印字するまでは、原稿を読み直させる指示ができなかった。すなわち、ソートの１単位となる原稿の印字完了前に原稿の一部を読み直させることまで考慮されたものではない。
【０００９】
また、原稿の一部に対して読み直しを指示するに当たっても、読み込む原稿ごと（原稿のページごと）に指示を行うものであるため、例えば１枚の転写紙（記録紙）に対して複数の原稿の画像を形成する場合、読み直しの指示をする際の操作がめんどうとなっていた。
すなわち、片面原稿から両面コピーや集約（２枚、４枚、・・）モードでコピーしている場合など、読み直す記録紙に対する原稿が記録紙と１対１に対応していない場合がなどは、出力された記録紙を読み直しの単位とした方が、ユーザにとって読み直しの指示をし易くすることができる。
【００１０】
本発明はこのような状況に鑑みてなされたもので、以下の目的を有する。
第１の目的は、ソートの１単位となる原稿を１部印字完了する前であっても、任意の印字された記録紙に対する原稿の読み直しを行うことができる画像形成装置を提供することである。
【００１１】
第２の目的は、原稿の読み直しの指示に際して、印字されたどの記録紙に対して読み直すのかを指定することでユーザが読み直しを指示することができる画像形成装置を提供することである。
【００１２】
第３の目的は、指定された記録紙に対して原稿を何枚戻したら良いかを表示する画像形成装置を提供することである。
【００１３】
第４の目的は、任意の範囲で読み取り動作を取り消し、差し替えを行うことができる画像形成装置を提供することである。
【００１４】
第５の目的は、読み直しの指示を原稿の先頭ないし最後のどちらからでも指示可能とし、操作しやすくした画像形成装置を提供することである。
【００１５】
第６の目的は、読み直しを指示した記録紙より後に出力された記録紙を無効とするか否かを選択可能とし、使い勝手をよくした画像形成装置を提供することである。
【００１６】
【課題を解決するための手段】
かかる目的を達成するために、本発明は以下の特徴を有する。
請求項１記載の発明は、原稿の画像を読み取る読み取り手段と、読み取り手段により読み取った画像を蓄積する蓄積手段と、読み取り手段で読み取った画像又は蓄積手段に蓄積された画像を印字する印字手段と、入力を受ける入力手段と、蓄積手段に蓄積された画像を用いて印字手段に電子的なソート印字を行わせると共に、該ソート印字としてすでに読み込まれた原稿の読み直しが当該読み直しを行う原稿の指定と共に入力手段から入力されると、該指定された原稿の画像を蓄積手段から消去し、指定された原稿の読み直し処理を可能とするよう制御する制御手段と、を備えた画像形成装置であって、制御手段は、ソート印字における原稿の読み直しが入力手段から入力されると、即座に読み直し処理を開始するよう構成されたことを特徴とする。
【００１７】
請求項２記載の発明は、読み直し処理で読み直しを行う原稿の指定を、印字手段により印字する記録紙１枚を単位として入力手段から入力を受けることを特徴とする。
【００１８】
請求項３記載の発明は、読み直し処理で読み直しを行う原稿の指定を、記録紙の複数に対して入力手段から入力を受けることを特徴とする。
【００１９】
請求項４記載の発明は、読み直し処理で読み直しを行う原稿の指定を、印字手段により印字された記録紙に対して先頭からか末尾からかにより選択的に入力手段から入力を受けることを特徴とする。
【００２０】
請求項５記載の発明は、制御手段からの命令により画情報を表示する表示手段を備え、上記した制御手段は、読み直し処理で読み直しを行う原稿が記録紙の枚数により指定されることにより、指定された該記録紙の位置に対応する原稿の戻し枚数を算出して表示手段に表示させることを特徴とする。
【００２１】
請求項６記載の発明は、読み直し処理で読み直しを行う原稿の指定が入力手段から入力される際、該入力手段は該指定された記録紙以降の記録紙を無効とするか否かの入力を受け、上記した制御手段は、記録紙の無効が入力（指示）された場合、指定された記録紙の読み直しによる印字後に指定された記録紙以降の記録紙の印字も印字手段に行わせ、記録紙の無効が入力（指示）されない場合、指定された記録紙の読み直しによる印字のみを印字手段に行わせることを特徴とする。
【００２２】
【発明の実施の形態】
次に、本発明に係る画像形成装置を、図１から図１０を用いて詳細に説明する。
【００２３】
本発明の実施形態としての画像形成装置は、図１に示すように、装置本体の上部に自動原稿送り装置（以後ＡＤＦ）１が開閉可能に連結されて構成される。
ＡＤＦ１にある、原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知部７にて原稿台２に次の原稿が有ることを検知した場合、前原稿と同様にコンタクトガラス６上に給送される。給送ローラ３、給送ベルト４、排送ローラ５はモータによって駆動される。
原稿セット検知部７により原稿がなくなるまでの原稿給送回数により原稿の枚数を計数することができる。
【００２４】
第１トレイ８、第２トレイ９、第３トレイ１０に積載された転写紙（記録紙）は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。この読み取りユニット５０は、当該読み取りユニット５０におけるメイン光学系であるレンズ５３及びＣＣＤイメージセンサ５４に露光ランプ５１による光を導く第１ミラー５１、第２ミラー５５、第３ミラー５６を備えてなる。
そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１２０に排出される。排紙トレイ１２０には、トレイ上の用紙の有無を検知するための排紙検知センサ１２１が備えられている。
【００２５】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。このように転写紙の両面に画像を作成する場合に両面給紙ユニット１１１は使用される。
【００２６】
感光体１５、搬送ベルト１６、定着ユニット１７、排紙ユニット１８、現像ユニット２７はメインモータによって駆動され、各給紙装置（第１〜３給紙ユニット）１１〜１３はメインモータの駆動を各々給紙クラッチによって伝達駆動される。縦搬送ユニット１４はメインモータの駆動を中間クラッチ２１によって伝達駆動される。
【００２７】
上記した本実施形態としての画像形成装置における操作部３０の一例を、図２に示す。
この図２に示すように、操作部（入力手段）３０は、液晶タッチパネル３１、テンキー３２、クリア／ストップキー３３、プリントキー（スタートキー）３４、モードクリアキー３５を備え、液晶タッチパネル（表示手段）３１には、機能キー３７や、部数、画像形成装置の状態を示すメッセージなどが表示される。
【００２８】
上記した操作部３０における液晶タッチパネル３１での表示例を図３、図４に示す。
オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行う事が可能である。
【００２９】
図３（ａ）において左上は、「コピーできます」、「お待ちください」等のメッセージを表示するメッセージエリア、その右は、セットした枚数を表示するコピー枚数表示部、その下に、画像濃度を自動的に調整する自動濃度キー、転写紙サイズを選択する用紙選択キー、転写紙を自動的に選択する自動用紙選択キー、コピーを一部ずつページ順にそろえる処理を指定するソートキー、コピーをページ毎に仕分けする処理を指定するスタックキー、ソート処理（ソート印字）されたものを一部ずつ綴じる処理を指定するステープルキー、倍率を等倍にセットする等倍キー、拡大／縮小倍率をセットする変倍キー、両面モードを設定する両面キー、とじ代モード等を設定する消去／移動キーを備える。選択されているモードはキーが網掛け表示されている。
【００３０】
また、図３（ｂ）は、原稿読み直しキーが表示されている状態の液晶タッチパネル３１での表示例である。この原稿読み直しキーは、ソート印字による原稿の読み込みが開始されてからソート印字における最終原稿の確定を示す入力（最終原稿確定キー押下）が行われるまでの間だけ表示されることとしてもよく、常時表示されてその間のみ有効としてもよい。
【００３１】
図４（ａ）は、上記原稿読み直しキーが押下（入力）されて読み直しモード（読み直し処理を行うモード）となり、原稿読み直しポップアップ画面が表示された場合の表示例である。この原稿読み直しポップアップ画面では、図４（ａ）に示すように、読み直す原稿の指定はすでに印字（印刷）された転写紙（記録紙）に対して先頭からか末尾からかを選択して行い、その印字された転写紙１枚を単位として入力する。また、その指定した原稿から読み直す原稿を記録紙の複数に対して指定して入力することができる。
図４（ｂ）は、その原稿読み直しでの原稿戻し枚数の表示例である。すなわち、図４（ａ）に示す原稿読み直しポップアップ画面により入力された読み直す原稿の記録紙の枚数による指定から、原稿の戻し枚数が制御部により算出され、その枚数原稿を戻すことにより読み直しを指定した原稿とすることができることを確認させる原稿戻し枚数の確認画面を例示したものである。
図４（ｃ）は、その原稿読み直しの際に、読み直しを指定された記録紙以降のすでに印字された記録紙を無効とするか否かを入力する画面の表示例である。
【００３２】
次に、本実施形態としての画像形成装置における画像読み取り手段の動作、および画像を記録面（転写紙）上に潜像形成するまでの動作について、図１を参照して説明する。なお、潜像とは感光体面上に画像を光情報に変換して照射することにより生じる電位分布である。
【００３３】
書き込みユニット５７は、レーザ出力ユニット５８、結像レンズ５９、ミラー６０を備えて構成され、レーザ出力ユニット５８の内部には、レーザ光源であるレーザダイオード及びモータによって高速で定速回転する回転多面鏡（ポリゴンミラー）が備えられている。
レーザ出力ユニット５８より照射されるレーザ光は、定速回転するポリゴンミラーで偏光され、結像レンズ５９を通り、ミラー６０で折り返され、感光体面上に集光結像する。
【００３４】
偏光されたレーザ光は、感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３５】
本実施形態における画像処理部（画像読みとり部（読み取りユニット５０）と画像書き込み部（書き込みユニット５７）と）の構成について、図５を用いて説明する。
露光ランプ５１から照射された光は原稿面（転写紙の記録面）を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。セレクタ６４では、画像信号の送り先を、変倍部７１または、画像メモリコントローラ６５への切り替えが行われる。変倍部７１を経由した画像信号は変倍率に合せて拡大縮小され、書き込みユニット５７に送られる。画像メモリコントローラ６５とセレクタ６４間は、双方向に画像信号を入出力可能な構成となっている。第８図には特に明示していないが、画像処理部（ＩＰＵ）には、読み取り部５０から入力される画像データ以外にも外部から供給される画像データ（例えばパーソナルコンピュータ等のデータ処理装置から出力されるデータ）も処理できるよう、複数のデータの入出力の選択を行う機能を有している。
【００３６】
画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ（蓄積手段）６６へのデータの書き込み、読み出しが行える。
【００３７】
ここで、図６を用いて、セレクタ６４における１ページ分の画像信号について説明する。
フレームゲート信号（／ＦＧＡＴＥ）は、１ページの画像データの副走査方向の有効期間を表している。主走査同期信号（／ＬＳＹＮＣ）は、１ライン毎の主走査同期信号であり、この信号が立ち上がった後の所定クロックで、画像信号が有効となる。また、主走査方向の画像信号が有効であることを示す信号が、ラインゲート信号（／ＬＧＡＴＥ）である。
これらの信号は、画素クロック（画素同期信号）ＶＣＬＫに同期しており、ＶＣＬＫの１周期に対し１画素のデータが送られてくる。画像処理部（ＩＰＵ）は、画像入力、出力それぞれに対して別個のフレームゲート信号（／ＦＧＡＴＥ）、主走査同期信号（／ＬＳＹＮＣ）、ラインゲート信号（／ＬＧＡＴＥ）、画素同期信号（ＶＣＬＫ）の発生機構を有しており、様々な画像入出力の組み合わせが実現可能になる。
【００３８】
次に、図７を用いて、図５におけるメモリーコントローラ６５と、画像メモリ６６との詳細について説明する。
メモリーコントローラ６５は、入力データセレクタ１０１、画像合成１０２、１次圧縮／伸長１０３、出力データセレクタ１０４、２次圧縮／伸長１０５のブロックを有している。各ブロックへの制御データの設定はＣＰＵ６８より行われる。第８図におけるアドレス、データは画像データを示しており、ＣＰＵ６８に接続されるデータ、アドレスは図示していない。
【００３９】
画像メモリ（蓄積手段）６６は、１次および２次記憶装置（１０６、１０７）からなる。１次記憶装置１０６は、入力画像データの転送速度に略同期してメモリーへのデータ書き込み、または画像出力時のメモリーからのデータ読み出しが高速に行えるように、例えばＤＲＡＭ等の高速アクセスが可能なメモリーを使用する。また、１次記憶装置１０６は、処理を行う画像データの大きさにより複数のエリアに分割して画像データの入出力を同時に実行可能な構成（メモリーコントローラーとのインターフェース部）をとっている。各分割したエリアに画像データの入力、出力をそれぞれ並列に実行可能にするためにメモりコントローラとのインターフェースにリード用とライト用の二組のアドレス・データ線で接続されている。これによりエリア１に画像を入力（ライト）する間にエリア２より画像を出力（リード）するという動作が可能になる。
【００４０】
２次記憶装置１０７は、入力された画像の合成、ソーティングを行うためにデータを保存しておく大容量のメモリーである。１次、２次記憶装置とも、高速アクセス可能な素子を使用すれば、１次、２次の区別なくデータの処理が行え、制御も比較的簡単になるが、ＤＲＡＭ等の素子は高価なため、２次記憶装置にはアクセス速度はそれほど速くないが、安価で、大容量の記録媒体を使用し、入出力データの処理を一次記憶装置を介して行う構成になっている。
上述のような画像メモリーの構成を採用することにより、大量の画像データの入出力、保存、加工等の処理が可能な画像形成装置を安価、かつ比較的簡単な構成で実現することが可能になる。
【００４１】
次に、メモリーコントローラ６５の動作の概略を説明する。
＜１＞画像入力（画像メモリーへの保存）
入力データセレクタ１０１は複数のデータの内から、画像メモリー（１次記憶装置１０６）への書き込みを行う画像データの選択を行う。
入力データセレクタ１０１によって選択された画像データは、画像合成１０２に供給され、既に画像メモリに保存されているデータとの合成を行う。
画像合成１０２によって処理された画像データは、１次圧縮／伸長１０３によりデータを圧縮し、圧縮後のデータを１次記憶装置１０６に書き込む。
１次記憶装置１０６に書き込まれたデータは、必要に応じて２次圧縮／伸長１０５で更に圧縮を行った後に２次記憶装置１０７に保存される。
【００４２】
＜２＞画像出力（画像メモリーからの読み出し）
画像出力時は、１次記憶装置１０６に記憶されている画像データの読み出しを行う。出力対象となる画像が１次記憶装置１０６に格納されている場合には、１次圧縮／伸長１０３で１次記憶装置１０６の画像データの伸長を行い、伸長後のデータ、もしくは伸長後のデータと入力データとの画像合成を行った後のデータを出力データセレクタ１０４で選択し、出力する。
画像合成１０２は、１次記憶装置１０６のデータと、入力データとの合成（画像データの位相調整機能を有する）、合成後のデータの出力先の選択（画像出力、１次記憶装置１０６へのライトバック、両方の出力先への同時出力も可能）等の処理を行う。
出力対象となる画像が１次記憶装置１０６に格納されていない場合には、２次記憶装置１０７に格納されている出力対象画像データを２次圧縮／伸長１０５で伸長を行い、伸長後のデータを１次記憶装置１０６に書き込んでから、以下、上述の画像出力動作を行う。
【００４３】
また、作業分担するために他のデジタル複写機とコマンドや画像データの送受信を行う必要があるが、この送受信は、本実施形態では、ＳＣＳＩインタフェースを使い実現している。図５のメモりコントローラ６５が、ＳＣＳＩドライバ８０を介してその送受信を実現している。
【００４４】
また、本実施形態における動作予約とは、ここでは、複写機において定着の加熱中等の時はコピー動作が開始できないが、モード設定及び原稿のセットを終了させ予約することにより、定着加熱終了後、コピー動作可になった時点で自動的にコピー動作を開始する機能のことである。本実施形態では、定着加熱中を動作予約可能対象としているが、これ以外にも時間の経過と共に動作可能になるものについては、対象になる資格がある。ＬＣＴトレイ上昇時間、ポリゴンモータ回転安定時間、トナー補給動作中等考えられる。
【００４５】
次に、ハードウェアの構成例を図８、図９を用いて説明する。
図８に示すハード構成図では、本実施形態としての画像形成装置は、システムを画像読みとり部と、画像書き込み部と、システムコントローラーと、メモリユニットと、利用者制限機器と、人体検知センサーと、遠隔診断装置（ＣＳＳ）と、時計とを備えて構成されるが、メモリユニットはメモリ機能を実現する場合のみ必要であり、通常のコピー機能を実現することだけを考えれば、必要とはならない。更に、時計は、ある特定の時間になったら、機械をブートしたり、シャットダウンするようなウィークリータイマー機能を実現する場合のみ必要である。また、人体検知は予熱モード時に機械の前にユーザが近づいてきたときに自動的に予熱モードを解除する機能を実現する場合のみ必要である。また、ＣＳＳは遠隔診断、すなわち、機械のエラーが発生した場合は自動的にサービスセンターに通報したり、機械の実行状態／使用状態を遠隔地からモニターする機能であるため、上記した各機能については、その機能が必要な場合のみ装着されることとしてよい。
【００４６】
この図８におけるメモリユニット内のＤＲＡＭブロックは、画像読みとり部から読みとった画像信号を記憶するためのもので、システムコントローラーからの要求に応じて、画像書き込み部に保存されている画像データを転送することができる。また、圧縮ブロックは、ＭＨ、ＭＲ、ＭＭＲ方式などの圧縮機能を具備しており、一旦読みとった画像を圧縮し、メモリ（ＤＲＡＭ）の使用効率の向上を図ることができる。また、画像書き込み部からの読み出すアドレスとその方向を変えることにより画像の回転を実現している。
【００４７】
上述した図８に示す「ハード構成例Ｉ」では、画像読みとり部、画像書き込み部、メモリユニット、ＣＳＳの制御はシステムコントローラの１ＣＰＵのみで制御を行っている。
一方、図９に示す「ハード構成例ＩＩ」では、画像読みとり部、画像書き込み部、メモリユニットにそれぞれＣＰＵをもたせ、システムコントローラーから各コントローラへのコマンドを制御信号線で伝達している。このように、本発明に係る画像形成装置におけるハードウェア構成は、構成を様々に変更してもよいものである。
【００４８】
本実施形態としての画像形成装置は以上のように構成されることにより、上記した読み取りユニット５０やコンタクトガラス６が原稿の画像を読み取る読み取り手段として機能する。また、画像メモリ６６が上記読み取り手段により読み取った画像を蓄積する蓄積手段として機能する。また、書き込みユニット５７や搬送ユニットなどが上記読み取り手段で読み取った画像又は上記蓄積手段に蓄積された画像を印字する印字手段として機能する。
また、操作部３０における液晶タッチパネル３１などが、ユーザからの入力を受ける入力手段として機能する。この液晶タッチパネル３１は、制御手段からの命令によりユーザに各種情報（画情報）を表示する表示手段としても機能する。また、上記したＣＰＵやシステムコントローラなどが、ＲＯＭなどの記憶手段に記憶された所要のプログラムにより動作することにより、上記蓄積手段に蓄積された画像を用いて印字手段にソート印字を行わせると共に、ソート印字としてすでに読み込まれた原稿の読み直しが当該読み直しを行う原稿の指定と共に上記入力手段から入力されると、該指定された原稿の画像を蓄積手段から消去し、指定された原稿の読み直し処理を可能とするよう制御する制御手段として機能する。
【００４９】
次に、本実施形態としての画像形成装置におけるソート印字での処理について、図１０を用いて説明する。図１０は、ソート印字の処理を示したフローチャートである。
【００５０】
最初に原稿枚数を表示するための原稿枚数カウンタを初期化し、値を０としている（ステップＳ１）。
その後、キー入力（押下されたキー）の判定を行う。
入力（押下）されたキーがスタートキーであった場合で（ステップＳ３；Ｙｅｓ）、読み直しモード（読み直し処理を行うモード）でなければ（ステップＳ１１；ＮＯ）、読み取り手段による原稿画像の読み取り（ステップＳ３１）、メモリ（蓄積手段）への読み取り画像の蓄積（ステップＳ３２）、原稿枚数カウンタのカウントアップ（ステップＳ３３）および印字手段による転写紙への印字（ステップＳ３４）を順に行う。
【００５１】
入力されたキーが、ソート印字として読み込ませる最終原稿を確定する最終原稿確定キー（ここでは＃キーを流用）であった場合は（ステップＳ２；Ｙｅｓ）、読み直しモードでなければ（ステップＳ２１；ＮＯ）、そのジョブでの原稿読み取りを終了し、２部目以降の印字を行う（ステップＳ２２）。設定枚数（設定部数）分の印字が完了した時点で処理を終了する（ステップＳ２３）。
【００５２】
入力されたキーが原稿読み直しキーであった場合（ステップＳ４；Ｙｅｓ）、すなわち、図３（ｂ）に例示する原稿読み直しキーが表示されている状態からその原稿読み直しの位置と枚数が入力されて“ＯＫ”キーが入力（押下）された場合、読み直しモードとなり（ステップＳ５）、図４（ａ）に例示する原稿読み直しポップアップ画面が表示される（ステップＳ６）。ここでユーザは読み直しを指定したい原稿の位置（指定する原稿が印字された記録紙における先頭又は末尾から何枚目であるか）と読み直し枚数とを転写紙単位で（転写紙１枚を単位として）入力する（ステップＳ７）。ここでユーザがＯＫキーを押下すると、制御手段は、指定された転写紙の位置から指定数分、蓄積手段に蓄積された蓄積画像を消去する（ステップＳ８）。また、制御手段は、読み直しの位置とコピーモードから原稿の戻し枚数を算出し、図４（ｂ）に例示されるような原稿戻し枚数の表示画面を表示手段に表示させるとともに、戻し枚数分を原稿枚数カウンタから減ずる（ステップＳ９）。
【００５３】
上記した原稿の戻し枚数は、原稿の読み直しを行うに当たって、読み直しとして指定された先頭又は末尾からの転写紙の枚数による転写紙の位置に対応する原稿の末尾からの位置（末尾からの戻し枚数）を示すものであり、例えば、片面→両面モードの場合、読み直しの位置の指定が末尾からｎ枚目なら、戻し枚数は２＊ｎとなる。読み直しの位置の指定が先頭からｎ枚目なら、読み取り終わった原稿枚数をｍとして、戻し枚数はｍ−２＊（ｎ−１）となる。
【００５４】
読み直しモード中のスタートキー押下で（ステップＳ３及びＳ１１；Ｙｅｓ）、読み直し原稿の読み取り手段による読み取りと画像のメモリ（蓄積手段）への蓄積を行う（ステップＳ１２）。画像のメモリへの蓄積においては、読み直しにより画像消去された位置に該当する原稿の画像が挿入されるようにし、原稿の並び順に印字できるようにする。また、原稿枚数カウンタのカウントアップも行う（ステップＳ１３）。
【００５５】
読み直しの設定枚数分の原稿読み取りおよび印字手段による印字（出力）が終了したら（ステップＳ１５；Ｙｅｓ）、図４（ｃ）のような転写紙有効／無効ポップアップ画面が表示される（ステップＳ１６）。ここでユーザは出力した読み直し設定前に出力さあれた転写紙を無効にするか否かを判断できる。すなわち、読み直しを指定した転写紙以降の転写紙を無効とするか否かのを選択して入力（指示）することができる。
無効とした場合（図４（ｃ）で「はい」キー押下）には（ステップＳ１７；Ｙｅｓ）、読み直しした転写紙以降の蓄積画像を転写紙に印字し（ステップＳ１８）、読み直しモードを解除する（ステップＳ１９）。無効としない場合（図４（ｃ）で「いいえ」キー押下）は（ステップＳ１７；ＮＯ）、読み直しモードのみ解除する（ステップＳ１９）。
【００５６】
このように、本実施形態としての画像形成装置は、ソート印字における原稿の読み直しが液晶タッチパネル３１（入力手段）から入力されると、上述したように即座に読み直しモードとしての読み直し処理を開始することができる。
このため、例えばＡＤＦ１を用いずに１枚１枚手作業によりソート印字としての原稿の読み込みを行っている場合など、ソート印字の１単位となる原稿全てを読み込み手段により読み込ませる前に読み直しを行わせたい場合であっても、ソート印字の１単位となる原稿全ての印字完了前に読み直し処理を即座に開始させることができ、ユーザによる操作性における自由度を高めると共に紙の無駄を省くことができる。
【００５７】
また、読み直し処理を行う際には、指定された転写紙以降の転写紙を無効とするか否かを選択して、液晶タッチパネル３１（入力手段）から入力することができる。
ここでユーザが無効としない場合、読み直しとして指定（指示）した記録紙がソート印字における最後の転写紙でない限り、読み直しを行うことにより再度印字された転写紙が最後に出力されることとなる。このため、ユーザは、読み直し前の転写紙と読み直し後の転写紙とを差し替える必要がある。このようにユーザが無効としない場合には、印字する転写紙を無駄にしないようにすることができるが、この読み直しによる転写紙を差し替える手間がかかる。
ここでユーザが無効とした場合、読み直しを指定した以後の転写紙を取り除くだけで読み直し後に手作業で差し替えを行う必要をなくすことができる。
このように、上記した無効とするか否かを選択して入力することができることにより、本実施形態としての画像形成装置は、ユーザの操作における選択の幅を広げ、操作性を向上させることができる。
【００５８】
なお、本実施形態としての画像形成装置は、コピー機やデジタル複合機であってもよい。また、上述した実施形態は、本発明の好適な実施形態であり、本発明の主旨を逸脱しない範囲内において、例えば物理的なハードウェア構成など、種々変形して実施することが可能である。
【００５９】
【発明の効果】
以上のように、本発明は、ソート印字における原稿の読み直しが入力手段から入力されると、即座に読み直し処理を開始する。
このことにより、ソートの１単位となる原稿を１部印字完了する前であっても、指定された記録紙に対する原稿の読み直しを任意のタイミングで開始させることができる。
【００６０】
また、ソート印字における読み直しの指定が印字する記録紙１枚を単位として入力されるため、ユーザが読み直しの指定を行う際にその指定する記録紙の位置を原稿の枚数でなく記録紙の枚数で数えることができる。すなわち、ユーザが印字後に印字画像の不備を発見しても不備があった記録紙の差し替えを容易に行うことができる。特に、両面印字や集約印字をしている場合は、記録紙単位で読み直しを指定する方がユーザにとって分かりやすくすることができる。
【００６１】
また、複数の記録紙に対する読み直しの指定が一度の操作で設定できるため、ユーザの使い勝手を向上させることができる。
【００６２】
また、読み直しの指定を印字された記録紙に対して先頭からか末尾からかにより選択的に入力できるため、操作における選択の幅を広げることができる。すなわち、読み直しの指定について、先頭からとするか印字された末尾からとするかを選択できるので、読み直す記録紙の出力位置によって使い分けることができ、ユーザの使い勝手を向上させることができる。
【００６３】
また、読み直しを指定された記録紙の位置に対応する原稿の戻し枚数を算出して表示手段に表示するため、原稿の戻し枚数をユーザが計算する必要をなくすことができる。すなわち、原稿の戻し枚数を表示する事が可能なため、読み直しを指示した記録紙に対する原稿をユーザが容易に判断可能となり、ユーザの使い勝手を向上させることができる。
【００６４】
また、読み直しを指示した記録紙より後に出力された記録紙を無効とするか否かを選択可能としたので、出力した記録紙を無効とした場合には、読み直しを指定した以後の記録紙を取り除くことで読み直し後に手作業で差し替えを行う必要がなくなる。また、出力した記録紙の有効とした場合には、紙資源の節約をすることが可能となる。このように選択の幅を広げることにより、ユーザの使い勝手を向上させることができる。
【図面の簡単な説明】
【図１】本発明の実施形態としての画像形成装置の構成の概要を例示した縦断面図である。
【図２】同画像形成装置における操作部３０の例を示す拡大正面図である。
【図３】液晶タッチパネル３１での表示例を示す図であり、（ａ）通常使用時、（ｂ）ソート印字時、をそれぞれ示す。
【図４】読み直しモードにおける液晶タッチパネル３１での表示例を示す図である。
【図５】本実施形態としての画像形成装置における回路構成の概要を例示するブロック図である。
【図６】セレクタ６４における１ページ分の画像信号について示す図である。
【図７】図５に示すメモリーコントローラ６５と画像メモリ６６との構成を示すブロック図である。
【図８】本実施形態としての画像形成装置における第１のハードウェア構成例（ハード構成例Ｉ）を示すブロック図である。
【図９】同、第２のハードウェア構成例（ハード構成例ＩＩ）を示すブロック図である。
【図１０】本実施形態としての画像形成装置での電子的なソート印字における処理を示すフローチャートである。
【符号の説明】
１　自動原稿送り装置（ＡＤＦ）
２　原稿台
３　給送ローラ
４　給送ベルト
５　排送ローラ
６　コンタクトガラス
７　原稿セット検知部
８　第１トレイ
９　第２トレイ
１０　第３トレイ
１１　第１給紙ユニット
１２　第２給紙ユニット
１３　第３給紙ユニット
１４　縦搬送ユニット
１５　感光体
１６　搬送ベルト
１７　定着ユニット
１８　排紙ユニット
３０　操作部（入力手段）
３１　液晶タッチパネル（表示手段）
３２　テンキー
３４　プリントキー（スタートキー）
５０　読み取りユニット（読み取り手段）
５１　露光ランプ
５２　第１ミラー
５３　レンズ
５４　ＣＣＤイメージセンサ
５５　第２ミラー
５６　第３ミラー
５７　書き込みユニット
５８　レーザ出力ユニット
５９　結像レンズ
６０　ミラー
６５　メモリコントローラ
６６　画像メモリ（蓄積手段）
６８　ＣＰＵ（制御手段）
１１１　両面給紙ユニット
１１２　分岐爪
１２０　排紙トレイ
１２１　排紙検知センサ
【図１】
2004104263.tif 000003
【図２】
2004104263.tif 000004
【図３】
2004104263.tif 000005
【図４】
2004104263.tif 000006
【図５】
2004104263.tif 000007
【図６】
2004104263.tif 000008
【図７】
2004104263.tif 000009
【図８】
2004104263.tif 000010
【図９】
2004104263.tif 000011
【図１０】
2004104263.tif 000012